(57)【特許請求の範囲】
【請求項１】
設置面に対して垂直方向に沿う方向を軸として回転可能に設けられたリング部材と、
前記リング部材の回転を検出する第１回転検出部と、
前記リング部材の径方向外側で、かつ該リング部材の周囲に配置され、少なくともユーザが接触したか否かを検知する接触検知部と、
前記第１回転検出部により前記リング部材の回転を検出し、かつ前記接触検知部によりユーザの接触を検知した際、画面を遷移させる表示手段と、
前記リング部材の径方向内側に配置されたダイヤルと、
前記ダイヤルの回転を検出する第２回転検出部と、
を備え、
前記表示手段は、複数の階層、および前記複数の階層に含まれる複数のメニューを表示するように構成され、
前記リング部材と前記ダイヤルは、それぞれ異なる階層を操作することを特徴とする車両用表示装置。
【請求項２】
前記設置面は、ステアリングハンドルの表面、またはセンターコンソールの表面であることを特徴とする請求項１に記載の車両用表示装置。
【請求項３】
前記リング部材は、外周縁部を切除した形の傾斜面を備えていることを特徴とする請求項１または請求項２に記載の車両用表示装置。
【請求項４】
前記接触検知部は、前記ユーザが接触したか否かのみを検知することを特徴とする請求項１〜請求項３の何れか１項に記載の車両用表示装置。
【請求項５】
前記接触検知部は、静電容量式電極によりユーザの接触を検知するように構成され、
前記静電容量式電極を、前記複数の階層に応じて複数備えたことを特徴とする請求項１〜請求項４の何れか１項に記載の車両用表示装置。
【請求項６】
前記設置面は、前記接触検知部の一部を覆い、前記接触検知部を複数の前記静電容量式電極ごとに仕切る被覆部を備えていることを特徴とする請求項５に記載の車両用表示装置。
【請求項７】
前記表示手段は、最上階層、該最上階層よりも下位の中階層、および該中階層よりも下位の最下階層の３つの階層を有し、
前記静電容量式電極は、前記最上階層、および前記中階層に対応するように設けられており、
前記被覆部は、前記最上階層の前記静電容量式電極と前記中階層の前記静電容量式電極とに仕切るように設けられており、
前記リング部材は、前記表示手段の前記最上階層、および前記中階層を操作すると共に、前記ダイヤルは、前記表示手段の最下階層を操作することを特徴とする請求項６に記載の車両用表示装置。
【請求項８】
前記ダイヤルの回転軸は、前記リング部材の前記軸に対して直交していることを特徴とする請求項７に記載の車両用表示装置。
【発明の詳細な説明】
【技術分野】
【０００１】
この発明は、車両用表示装置に関するものである。
【背景技術】
【０００２】
従来から、車載機器の操作に関する階層化された複数のメニューのうち、選択対象とする所望のメニューを表示する車両用表示装置が知られている。また、このような車両用表示装置をステアリングハンドルに設ける技術が開示されている（例えば、特許文献１、特許文献２参照）。
【先行技術文献】
【特許文献】
【０００３】
【特許文献１】特開２０１２−２２３９３号公報
【特許文献２】国際公開第２０１３／１７９３９０号
【発明の概要】
【発明が解決しようとする課題】
【０００４】
ところで、車両用表示装置の操作性を向上させるために、車両用表示装置に複数の機能を集約させようとすると、車両用表示装置が大型化してしまうという課題がある。このため、ステアリングハンドルの車両用表示装置を設置するためのスペースを大きく確保する必要があり、意匠性が低下してしまう。
【０００５】
そこで、この発明は、上述した事情に鑑みてなされたものであって、複数の機能を集約させて操作性を向上させつつ、小型化できる車両用表示装置を提供するものである。
【課題を解決するための手段】
【０００６】
上記の課題を解決するために、請求項１に記載した発明は、設置面（例えば、実施形態におけるステアリングハンドル３の表面４ａ）に対して垂直方向に沿う方向を軸（例えば、実施形態における軸Ｌ１）として回転可能に設けられたリング部材（例えば、実施形態におけるリングダイヤル９）と、前記リング部材の回転を検出する第１回転検出部（例えば、実施形態における第１回転角度検出装置１３）と、前記リング部材の径方向外側で、かつ該リング部材の周囲に配置され、少なくともユーザが接触したか否かを検知する接触検知部（例えば、実施形態における静電容量式電極１０）と、前記第１回転検出部により前記リング部材の回転を検出し、かつ前記接触検知部によりユーザの接触を検知した際、画面（例えば、実施形態における画面Ｇ）を遷移させる表示手段（例えば、実施形態における表示パネル６）と、前記リング部材の径方向内側に配置されたダイヤル（例えば、実施形態におけるボールダイヤル１１）と、前記ダイヤルの回転を検出する第２回転検出部（例えば、実施形態における第２回転角度検出装置１４）と、を備え、前記表示手段は、複数の階層、および前記複数の階層に含まれる複数のメニューを表示するように構成され、前記リング部材と前記ダイヤルは、それぞれ異なる階層を操作することを特徴とする。
【０００７】
このように構成することで、車両用表示装置に複数の機能を集約させながら、リング部材の径方向内側に空きスペースを形成することができる。そして、この空きスペースを有効利用して、さらに所望の機能を増設させることができる。このため、複数の機能を集約させて操作性を向上させつつ、小型化できる車両用表示装置を提供できる。
【０００８】
請求項２に記載した発明では、前記設置面は、ステアリングハンドルの表面（例えば、実施形態におけるステアリングハンドル３の表面４ａ）、またはセンターコンソールの表面（例えば、実施形態におけるセンターコンソール３１の表面３１ａ）であることを特徴とする。
【０００９】
このように構成することで、ユーザ（運転者）の手元で車両用表示装置を操作できるので、ユーザーフレンドリーな車両用表示装置を提供できる。
【００１０】
請求項３に記載した発明では、前記リング部材は、外周縁部を切除した形の傾斜面（例えば、実施形態における傾斜面９ｂ）を備えていることを特徴とする。
【００１１】
このように構成することで、傾斜面と、リング部材の周囲に配置した接触検知部の面とが滑らかに連なる。このため、ユーザがリング部材と接触検知部とを同時に触った際の違和感を軽減できる。
【００１２】
請求項４に記載した発明では、前記接触検知部は、前記ユーザが接触したか否かのみを検知することを特徴とする。
【００１３】
このように構成することで、接触検知部の構成を簡素化でき、車両用表示装置の製造コストを低減できる。
【００１４】
請求項５に記載した発明では、前記接触検知部は、静電容量式電極によりユーザの接触を検知するように構成され、前記静電容量式電極を、前記複数の階層に応じて複数備えたことを特徴とする。
【００１５】
このように構成することで、構造が簡素で使い勝手の良い、小型な車両用表示装置を提供できる。
【００１６】
請求項６に記載した発明では、前記設置面は、前記接触検知部の一部を覆い、前記接触検知部を複数の前記静電容量式電極ごとに仕切る被覆部（例えば、実施形態における被覆部１２）を備えていることを特徴とする。
請求項７に記載した発明では、前記表示手段は、最上階層、該最上階層よりも下位の中階層、および該中階層よりも下位の最下階層の３つの階層を有し、前記静電容量式電極は、前記最上階層、および前記中階層に対応するように設けられており、前記被覆部は、前記最上階層の前記静電容量式電極と前記中階層の前記静電容量式電極とに仕切るように設けられており、前記リング部材は、前記表示手段の前記最上階層、および前記中階層を操作すると共に、前記ダイヤルは、前記表示手段の最下階層を操作することを特徴とする。
請求項８に記載した発明では、前記ダイヤルの回転軸（例えば、実施形態における軸Ｌ２）は、前記リング部材の前記軸に対して直交していることを特徴とする。
【００１７】
このように構成することで、確実に、ユーザが階層別に接触検知部に接触できる。このため、ユーザの誤動作を防止できる。
【発明の効果】
【００１８】
本発明によれば、車両用表示装置に複数の機能を集約させながら、リング部材の径方向内側に空きスペースを形成することができる。そして、この空きスペースを有効利用して、さらに所望の機能を増設させることができる。このため、複数の機能を集約させて操作性を向上させつつ、小型化できる車両用表示装置を提供できる。
【図面の簡単な説明】
【００１９】
【図１】本発明の実施形態における車両用表示装置が搭載された車両の室内の概略構成図である。
【図２】本発明の実施形態における画面の表示方法の一例を示す説明図である。
【図３】本発明の実施形態における表示装置本体の概略構成図である。
【図４】図３のＡ−Ａ線に沿う断面図である。
【図５】図３のＢ−Ｂ線に沿う断面図である。
【図６】本発明の実施形態における車両用表示装置の最上階層表示エリアの操作方法を示す説明図である。
【図７】本発明の実施形態における車両用表示装置の中階層表示エリアの操作方法を示す説明図である。
【図８】本発明の実施形態における車両用表示装置の最下階層表示エリアの操作方法を示す説明図である。
【図９】本発明の実施形態の第１変形例における表示装置本体の断面図である。
【図１０】本発明の実施形態の第２変形例における表示装置本体の断面図である。
【発明を実施するための形態】
【００２０】
次に、この発明の実施形態を図面に基づいて説明する。
【００２１】
（車両用表示装置）
図１は、本発明に係る車両用表示装置１が搭載された車両の室内２の概略構成図である。
なお、以下の説明では、室内２において車両の左右方向（図１における左右方向）を単に左右方向と称し、重力方向上下方向（図１における上下方向）を単に上下方向と称して説明する。
【００２２】
図１に示すように、車両用表示装置１は、ステアリングハンドル３のスポーク部４の表面４ａに設けられた表示装置本体５と、表示装置本体５の操作結果が表示される表示パネル６と、備えている。
表示パネル６は、インスツルメントパネル７内に設けられている。表示パネル６に表示される画面Ｇは、表示ＥＣＵ（Ｅｌｅｃｔｒｏｎｉｃ  Ｃｏｎｔｒｏｌ  Ｕｎｉｔ）８によって制御されている。表示ＥＣＵ８には、表示装置本体５から出力される信号が入力される。
なお、表示ＥＣＵ８は、例えばエンジンルーム等に配置されるが、本実施形態では、説明の都合上、図１に２点鎖線で示す。
【００２３】
ここで、図２に基づいて、画面Ｇの表示方法の一例について説明する。
図２は、画面Ｇの表示方法の一例を示す説明図である。なお、画面Ｇの表示方法、表示内容についてはさまざまな設定方法が挙げられるが、ここでは、一例として図２のような表示方法を示す。しかしながら、画面Ｇの表示方法や表示内容は図２に示すものに限られるものではなく、仕様に応じてさまざまな設定可能である。また、この後の説明では、図２に示す表示方法に則して説明する。
【００２４】
同図に示すように、画面Ｇは、階層ごとのメニューが表示されるようになっている。すなわち、例えば、画面Ｇの左側は、最上階層表示エリアＡＲ１、画面Ｇの右側は、中階層表示エリアＡＲ２、画面Ｇの左右方向中央は、最下階層表示エリアＡＲ３に設定されている。
【００２５】
画面Ｇの最上階層表示エリアＡＲ１には、例えば、音楽やラジオ放送を視聴する機能、メール機能、アドレス帳機能等のメニューが表示される。
また、画面Ｇの中階層表示エリアＡＲ２には、最上階層表示エリアＡＲ１で選択したメニューの下階層のメニューが表示される。例えば、最上階層表示エリアＡＲ１で音楽メニューが選択された場合、ラジオ放送（例えば、ＦＭ局やＡＭ局）やＵＳＢポート等のメニューが表示される。なお、例えばＵＳＢポートを選択した場合、ＵＳＢポートを介して接続された携帯端末装置の音楽等を聞くことができる。
【００２６】
また、画面Ｇの最下階層表示エリアＡＲ３には、中階層表示エリアＡＲ２で選択したメニューの下階層のメニューが表示される。例えば、中階層表示エリアＡＲ２でラジオ放送（ＦＭ局）が選択された場合、放送局（周波数）が表示される。
【００２７】
（表示装置本体）
図３は、表示装置本体５の概略構成図、図４は、図３のＡ−Ａ線に沿う断面図、図５は、図３のＢ−Ｂ線に沿う断面図である。
図３〜図５に示すように、表示装置本体５は、スポーク部４の表面４ａに配置されたリングダイヤル９と、リングダイヤル９の径方向外側で、かつリングダイヤル９の周囲を取り囲むように配置された静電容量式電極１０と、リングダイヤル９の径方向内側に配置された球体状のボールダイヤル１１と、を主構成としている。
【００２８】
リングダイヤル９は、画面Ｇの最上階層表示エリアＡＲ１に表示されるメニュー、および中階層表示エリアＡＲ２に表示されるメニューを選択するためのものである。リングダイヤル９は、スポーク部４の表面４ａに対して垂直方向に沿う方向を軸Ｌ１として回転可能に設けられている（図３における矢印Ｙ１参照）。
そして、リングダイヤル９は、軸方向一端側がスポーク部４の表面４ａから露出するように設けられている。リングダイヤル９の露出した表面には、滑り止めとしての複数の溝９ａが径方向に沿って形成されている。また、複数の溝９ａは、周方向に等間隔で配置されている。
【００２９】
さらに、リングダイヤル９は、軸方向一端の外周縁に平面取りを施すことにより形成された傾斜面９ｂを備えている。傾斜面９ｂを形成することにより、リングダイヤル９の軸方向一端とスポーク部４の表面４ａとが滑らかに連なっている。
このように構成されたリングダイヤル９の回転は、エンコーダ等の第１回転角度検出装置１３によって検出される。第１回転角度検出装置１３による検出結果は、回転角度信号として表示ＥＣＵ８に出力される。
【００３０】
リングダイヤル９の周囲に配置された静電容量式電極１０は、スポーク部４の表面４ａから露出しないように、スポーク部４内に埋設されている。静電容量式電極１０は、この静電容量式電極１０が配置されている上のスポーク部４の表面４ａにユーザの指先が接触したか否かを検知できるように設けられている。
ここで、静電容量式電極１０は、この静電容量式電極１０にユーザの指先が接触した位置（座標）等を検出することなく、ユーザの指先が接触したか否かのみを検知するように構成されている。静電容量式電極１０の検知結果は、接触検知信号として表示ＥＣＵ８に出力される。
【００３１】
さらに、静電容量式電極１０は、画面Ｇに表示される最上階層表示エリアＡＲ１および中階層表示エリアＡＲ２に対応するように、左右方向（図３における左右方向）に２分割されている。すなわち、静電容量式電極１０は、略半円形状に形成された２つの電極、つまり、左側電極１０ａと、右側電極１０ｂとを左右方向で線対称となるように配置して構成される。
【００３２】
そして、左側電極１０ａは、画面Ｇの最上階層表示エリアＡＲ１、つまり左側に表示されているエリアのメニューを選択する際に利用される。また、右側電極１０ｂは、画面Ｇの中階層表示エリアＡＲ２、つまり右側に表示されているエリアのメニューを選択する際に利用される。なお、車両用表示装置１の操作方法の詳細については後述する。
【００３３】
また、スポーク部４の表面４ａには、リングダイヤル９の上部に対応する位置、および下部に対応する位置に、それぞれリングダイヤル９を外側から覆う断面略Ｌ字状の被覆部１２が立設されている。換言すれば、被覆部１２は、左側電極１０ａと右側電極１０ｂとの境界に設けられていることになる。つまり、被覆部１２は、左側電極１０ａと右側電極１９ｂとの仕切り壁として機能している。
【００３４】
リングダイヤル９の径方向内側に配置されたボールダイヤル１１は、画面Ｇの最下階層表示エリアＡＲ３に表示されるメニューを選択するためのものである。ボールダイヤル１１は、左右方向に沿う方向を軸Ｌ２として回転可能に設けられている（図３における矢印Ｙ２参照）。また、ボールダイヤル１１は、そのほぼ半分がリングダイヤル９を介して外側に突出するように設けられている。
【００３５】
さらに、ボールダイヤル１１の回転は、エンコーダ等の第２回転角度検出装置１４によって検出される。第２回転角度検出装置１４による検出結果は、回転角度信号として表示ＥＣＵ８に出力される。
この他に、スポーク部４の表面４ａには、表示装置本体５の周囲に、各種のメカスイッチ１５が設けられている。
【００３６】
（車両用表示装置の操作方法）
次に、図４、図６〜図８に基づいて、車両用表示装置１の操作方法について説明する。
図６〜図８は、車両用表示装置１の操作方法を示す説明図である。なお、図６〜図８には、説明を分かりやすくするために表示装置本体５と画面Ｇとを並べて図示している。
まず、画面Ｇの最上階層表示エリアＡＲ１に表示されているメニューを選択する。
図４、図６に示すように、この場合、ユーザは、リングダイヤル９の被覆部１２よりも左側（以下、単にリングダイヤル９の左側という）に触れて回転させる。
【００３７】
このとき、ユーザは、リングダイヤル９の左側を触れると同時に、リングダイヤル９の径方向外側のスポーク部４にも触れるようにする。リングダイヤル９には、傾斜面９ｂが形成されているので、ユーザがリングダイヤル９の左側を触れる際、意識しなくても違和感なく自然とスポーク部４にも触れる。そして、このスポーク部４にユーザが触れることにより、左側電極１０ａがユーザの指先の接触を検知し、この検知結果を接触検知信号として表示ＥＣＵ８に出力する。
【００３８】
また、リングダイヤル９が回転することにより、第１回転角度検出装置１３がリングダイヤル９の回転角度を検出し、この検出結果を回転角度信号として表示ＥＣＵ８に出力する。
表示ＥＣＵ８は、左側電極１０ａから接触検知信号が入力された場合に限り、第１回転角度検出装置１３から出力された回転角度信号に基づいて、画面Ｇにおける最上階層表示エリアＡＲ１のメニューを遷移させる。そして、最上階層表示エリアＡＲ１の上下方向中央で静止したメニュー（例えば、図６では「ｍｕｓｉｃ」）を選択したメニューとして決定する。
【００３９】
次に、画面Ｇの中階層表示エリアＡＲ２に表示されているメニューを選択する。
図４、図７に示すように、この場合、ユーザは、リングダイヤル９の被覆部１２よりも右側（以下、単にリングダイヤル９の右側という）に触れて回転させる。
【００４０】
このとき、ユーザは、リングダイヤル９の右側を触れると同時に、リングダイヤル９の径方向外側のスポーク部４にも触れるようにする。上述したリングダイヤル９の左側をふる場合と同様に、リングダイヤル９には、傾斜面９ｂが形成されているので、ユーザがリングダイヤル９の右側を触れる際、意識しなくても違和感なく自然とスポーク部４にも触れる。そして、このスポーク部４にユーザが触れることにより、右側電極１０ｂがユーザの指先の接触を検知し、この検知結果を接触検知信号として表示ＥＣＵ８に出力する。
【００４１】
また、リングダイヤル９が回転することにより、第１回転角度検出装置１３がリングダイヤル９の回転角度を検出し、この検出結果を回転角度信号として表示ＥＣＵ８に出力する。
【００４２】
表示ＥＣＵ８は、右側電極１０ｂから接触検知信号が入力された場合に限り、第１回転角度検出装置１３から出力された回転角度信号に基づいて、画面Ｇにおける中階層表示エリアＡＲ２のメニューを遷移させる。そして、中階層表示エリアＡＲ２の上下方向中央で静止したメニュー（例えば、図６では「ＦＭ局」）を選択したメニューとして決定する。
このように、リングダイヤル９は１つでありながら、ユーザの指先が接触する静電容量式電極１０（左側電極１０ａ、右側電極１０ｂ）に応じて、遷移する階層が変わるようになっている。
【００４３】
次に、画面Ｇの最下階層表示エリアＡＲ３に表示されているメニューを選択する。
図４、図８に示すように、この場合、ユーザは、ボールダイヤル１１に触れて回転させる。ボールダイヤル１１は、左右方向に沿う方向を軸Ｌ２として回転可能に設けられているので、上下方向に沿って回転することになる。
また、ボールダイヤル１１が回転することにより、第２回転角度検出装置１４がボールダイヤル１１の回転角度を検出し、この検出結果を回転角度信号として表示ＥＣＵ８に出力する。
【００４４】
表示ＥＣＵ８は、第２回転角度検出装置１４から出力された回転角度信号に基づいて、画面Ｇにおける最下階層表示エリアＡＲ３のメニューを遷移させる。そして、最下階層表示エリアＡＲ３の上下方向中央で静止したメニューを選択したメニューとして決定する。これにより、車両用表示装置１の操作が完了する。
【００４５】
このように、上述の実施形態では、車両用表示装置１を、リングダイヤル９とリングダイヤル９の回転角度を検出する第１回転角度検出装置１３と、静電容量式電極１０（左側電極１０ａ、右側電極１０ｂ）と、画面Ｇを備える表示パネル６とを主構成としている。そして、静電容量式電極１０により接触検知信号が出力された場合に限り、第１回転角度検出装置１３による回転角度信号に基づいて画面Ｇにおける最上階層表示エリアＡＲ１、または中階層表示エリアＡＲ２のメニューを遷移させるように構成している。つまり、リングダイヤル９の個数は１つでありながら、ユーザの指先が接触する静電容量式電極１０（左側電極１０ａ、右側電極１０ｂ）に応じて、遷移する階層が変わるようになっている。このため、簡素な構造で２つの階層を遷移させる機能を集約することができる。
【００４６】
また、リングダイヤル９の径方向外側で、かつリングダイヤル９の周囲を取り囲むように静電容量式電極１０を配置している。このため、２つの階層を遷移させる機能を集約させながら、リングダイヤル９の径方向内側の空きスペースに、最下階層表示エリアＡＲ３のメニューを遷移させるボールダイヤル１１を設けることができる。
よって、省スペースに３つの機能（最上階層表示エリアＡＲ１のメニューを決定する機能、中階層表示エリアＡＲ２のメニューを決定する機能、および最下階層表示エリアＡＲ３のメニューを決定する機能）を集約することができ、車両用表示装置１の操作性を向上できる。また、車両用表示装置１を小型化でき、ステアリングハンドル３の意匠性を向上できる。
【００４７】
さらに、ステアリングハンドル３のスポーク部４の表面４ａに、表示装置本体５を設けているので、ユーザの手元で車両用表示装置１を操作できる。このため、ユーザーフレンドリーな車両用表示装置１を提供できる。
【００４８】
そして、リングダイヤル９は、軸方向一端の外周縁に平面取りを施すことにより形成された傾斜面９ｂを備えている。傾斜面９ｂを形成することにより、リングダイヤル９の軸方向一端とスポーク部４の表面４ａとが滑らかに連なっている。このため、ユーザがリングダイヤル９と静電容量式電極１０とを同時に触った際の違和感を軽減できる。また、ユーザがリングダイヤル９を触れる際、意識しなくても違和感なく自然と静電容量式電極１０（スポーク部４）に指先を接触させることができる。よって、さらにユーザーフレンドリーな車両用表示装置１を提供できる。
【００４９】
また、静電容量式電極１０は、この静電容量式電極１０にユーザの指先が接触した位置（座標）等を検出することなく、ユーザの指先が接触したか否かのみを検知するように構成されている。このため、構成が簡素で安価な静電容量式電極１０を用いることができ、車両用表示装置１の製造コストを低減することができる。
さらに、静電容量式電極１０が、画面Ｇに表示される最上階層表示エリアＡＲ１および中階層表示エリアＡＲ２に対応するように、左右方向に２分割されている。このため、構造が簡素で使い勝手の良い、小型な車両用表示装置１を提供できる。
【００５０】
そして、静電容量式電極１０の左側電極１０ａと右側電極１９ｂとの仕切り壁として被覆部１２を設けることにより、左側電極１０ａおよび右側電極１９ｂに対するユーザの誤接触を防止できる。
【００５１】
また、画面Ｇの左側に表示される最上階層表示エリアＡＲ１のメニューを選択するために、リングダイヤル９の左側を操作するように構成されている。さらに、画面Ｇの右側に表示される中階層表示エリアＡＲ２のメニューを選択するために、リングダイヤル９の右側を操作するように構成されている。そして、画面Ｇの左右方向中央に表示される最下階層表示エリアＡＲ３のメニューを選択するために、リングダイヤル９の径方向内側（中央）に配置されたボールダイヤル１１を操作するように構成されている。このため、表示装置本体５の各部品の配置から直感的に操作を連想させるアフォーダンスが可能となる。
【００５２】
（第１変形例）
次に、図９に基づいて、上述の実施形態の第１変形例について説明する。なお、以下の変形例では、上述の実施形態と同一態様には、同一符号を付して説明を省略する（以下の変形例についても同様）。
図９は、第１変形例における表示装置本体５の断面図を示し、前述の図４に対応している。
【００５３】
同図に示すように、第１変形例では、ステアリングハンドル３の表面４ａに、リングダイヤル９の径方向外側で、かつリングダイヤル９の周囲を取り囲むように凹部２１が形成されている。換言すれば、ステアリングハンドル３の表面４ａには、静電容量式電極１０に対応する箇所に、凹部２１が形成されている。この凹部２１は、リングダイヤル９の傾斜面９ｂに滑らかに連なるように形成されている。
【００５４】
このように構成することで、凹部２１に沿ってユーザの指先を動かすことができる。つまり、凹部２１がユーザの指先の動きをサポートするガイドとして機能するので、ユーザの使用感を向上できる。
また、凹部２１を形成することにより、自然とこの凹部２１にユーザの指先が導かれるので、静電容量式電極１０による指先の接触の検知精度を高めることができる。
【００５５】
（第２変形例）
次に、図１０に基づいて、上述の実施形態の第２変形例について説明する。
図１０は、第２変形例における表示装置本体５の断面図を示し、前述の図５に対応している。
同図に示すように、第２変形例では、スポーク部４の表面４ａに設けられた被覆部１２が、リングダイヤル９を外側から覆うように設けられておらず、静電容量式電極１０が配置されている箇所にのみ設けられている。すなわち、被覆部１２は、リングダイヤル９まで延出しておらず、リングダイヤル９の被覆部１２に対応する位置は、この被覆部１２を介して露出した状態になっている。
【００５６】
このように構成した場合であっても、被覆部１２によって、この被覆部１２が設けられている箇所の静電容量式電極１０にユーザが接触してしまうことが阻害される。すなわち、左側電極１０ａと右側電極１０ｂとの境界上をユーザが接触することを防止できる。このため、上述の実施形態と同様の効果を奏することができる。
【００５７】
なお、本発明は上述の実施形態に限られるものではなく、本発明の趣旨を逸脱しない範囲において、上述の実施形態に種々の変更を加えたものを含む。
【００５８】
例えば、上述の実施形態では、画面Ｇのメニューが３階層（最上階層、中階層、最下階層）に分かれており、このうちの２階層（最上階層、中階層）に対応するように、静電容量式電極１０を２分割に構成した場合について説明した。しかしながら、画面Ｇの階層の数や静電容量式電極１０の分割数は、上記に限られるものではなく、画面Ｇの階層の数は３階層以上であってもよく、また、静電容量式電極１０の分割数も画面Ｇの階層の数に応じて増やしてもよい。
【００５９】
また、上述の実施形態では、ステアリングハンドル３のスポーク部４に表示装置本体５を設けた場合について説明した。しかしながら、これに限られるものではなく、図１に示すセンターコンソール３１の表面３１ａに設けてもよい。
さらに、上述の実施形態では、静電容量式電極１０は、この静電容量式電極１０にユーザの指先が接触した位置（座標）等を検出することなく、ユーザの指先が接触したか否かのみを検知するように構成されている場合について説明した。しかしながら、これに限られるものではなく、ユーザの指先が接触した位置（座標）等を検出可能な静電容量式電極を用いることも可能である。
【符号の説明】
【００６０】
１…車両用表示装置  ３…ステアリングハンドル  ４…スポーク部  ４ａ，３１ａ…表面  ５…表示装置本体  ６…表示パネル（表示手段）  ９…リングダイヤル（リング部材）  ９ｂ…傾斜面  １０…静電容量式電極  １０ａ…左側電極  １０ｂ…右側電極  １１…ボールダイヤル（ダイヤル）  １２…被覆部  １３…第１回転角度検出装置（第１回転検出部）  １４…第２回転角度検出装置（第２回転検出部）  ３１…センターコンソール  Ｇ…画面  Ｌ１，Ｌ２…軸
【図１】
0006001603.tif 000002
【図２】
0006001603.tif 000003
【図３】
0006001603.tif 000004
【図４】
0006001603.tif 000005
【図５】
0006001603.tif 000006
【図６】
0006001603.tif 000007
【図７】
0006001603.tif 000008
【図８】
0006001603.tif 000009
【図９】
0006001603.tif 000010
【図１０】
0006001603.tif 000011